(57)【要約】【課題】配管の接続にあたって良好な作業性を確保することができる空気調和機を提供する。【解決手段】第１配管２７は、リアパネル３８から後方に突き出る接続端３１を有する。第１配管２７には、リアパネル３８から後方に突き出る第１操作弁３３が組み入れられる。第２配管２８は、第１配管２７の重力方向下方でリアパネル３８から後方に突き出る接続端３２を有する。第２配管２８には、リアパネル３８から後方に突き出る第２操作弁３４が組み入れられる。【選択図】図３
2017083141.tif 000002
【特許請求の範囲】
【請求項１】
圧縮機を収容する機械室の後方に設けられ室外機の外装の一部を構成するリアパネルと、
前記リアパネルから後方に突き出る接続端を有する第１配管と、
前記第１配管に組み入れられて、前記リアパネルから後方に突き出る第１操作弁と、
前記第１配管の下方で前記リアパネルから後方に突き出る接続端を有する第２配管と、
前記第２配管に組み入れられて、前記リアパネルから後方に突き出る第２操作弁と、
を備えることを特徴とする空気調和機。
【請求項２】
請求項１に記載の空気調和機において、前記リアパネルのパネル面を含む仮想平面に沿って広がる熱交換器と、圧縮機を収容する機械室側に設けられ室外機の側面を構成するサイドパネルとを備え、前記第１配管の接続端の軸心および前記第２配管の接続端の軸心は前記リアパネルのパネル面に平行に設置され、前記第１配管の接続端および前記第２配管の接続端は前記サイドパネル側に向けられることを特徴とする空気調和機。
【請求項３】
請求項１または２に記載の空気調和機において、前記リアパネルに取り付けられて、前記第１配管の接続端、前記第１操作弁、前記第２配管の接続端および前記第２操作弁を覆う配管カバーを備えることを特徴とする空気調和機。
【請求項４】
請求項３に記載の空気調和機において、前記配管カバーの外表面に接し前記リアパネルのパネル面に平行な仮想平面よりも外側に広がる固定脚を備えることを特徴とする空気調和機。
【請求項５】
請求項１〜４のいずれか１項に記載の空気調和機において、前記重力方向に前記第１操作弁の上方に配置される端子台と、前記リアパネルに取り付けられて前記端子台を覆う遮水カバーとを備えることを特徴とする空気調和機。
【発明の詳細な説明】
【技術分野】
【０００１】
本発明は空気調和機の室外機に関する。
【背景技術】
【０００２】
空気調和機の設置にあたって室内機の配管は屋外に引き出され室外機に接続される。接続にあたって室内機の配管は膨張弁に繋がる液配管と四方弁に繋がるガス配管とにそれぞれ結合される。結合が完了すると、液配管の操作弁とガス配管の操作弁とが開放される。こうして室内機の配管に冷媒は導入される。特許文献１では、リアパネルから後方に液配管の操作弁およびガス配管の操作弁は突き出る。
【先行技術文献】
【特許文献】
【０００３】
【特許文献１】特開平１０−３３９４７８号公報
【発明の概要】
【発明が解決しようとする課題】
【０００４】
特許文献１では、２つの操作弁は室外機の上縁に水平方向に並べて配置される。個々の操作弁から重力方向に下方に向かって液配管およびガス配管は延びる。接続端は重力方向下向きに向けられる。したがって、室外機の背面が小さい間隔で背後の壁面などに向き合わせられると、操作弁が邪魔して作業者は液配管の接続端やガス配管の接続端への室内機の配管の結合に手間取ってしまう。配管の接続にあたって作業性は損なわれる。
【０００５】
本発明は、配管の接続にあたって良好な作業性を確保することができる空気調和機を提供することを目的とする。
【課題を解決するための手段】
【０００６】
本発明の一形態は、圧縮機を収容する機械室の後方に設けられ室外機の外装の一部を構成するリアパネルと、前記リアパネルから後方に突き出る接続端を有する第１配管と、前記第１配管に組み入れられて、前記リアパネルから後方に突き出る第１操作弁と、前記第１配管の下方で前記リアパネルから後方に突き出る接続端を有する第２配管と、前記第２配管に組み入れられて、前記リアパネルから後方に突き出る第２操作弁とを備える空気調和機に関する。
【０００７】
空気調和機では室外機および室内機で冷凍回路が形成される。室内機の配管は室外に引き出され室外機に接続される。接続にあたって室内機の配管は第１配管の接続端および第２配管の接続端にそれぞれ結合される。こうして冷凍回路は閉じられる。第１操作弁および第２操作弁が開放されると、室内機の配管に冷媒は流通する。
【０００８】
第１配管の接続端、第１操作弁、第２配管の接続端および第２操作弁は室外機の背面に配置されるので、室外機の側方への突き出しは回避される。室外機の横幅は抑制される。側方への突き出しが室外機の正面側から見えなくなることから、室外機の見栄えは向上する。しかも、第１操作弁および第２操作弁は上下に配置されることから、室外機の背面が小さい間隔で背後の壁面などに向き合わせられても、室外機の側方から作業者は直線的なアクセス経路に沿って最短距離で第１操作弁および第２操作弁にアクセスすることができる。良好な作業性は確保される。仮に第１操作弁および第２操作弁が水平方向に配列されると、側面に近い操作弁および配管は側面から遠い操作弁へのアクセスを妨げ、操作弁の開閉作業に支障をきたす。
【０００９】
空気調和機は、前記リアパネルのパネル面を含む仮想平面に沿って広がる熱交換器を備える。ここで、前記第１配管の接続端の軸心および前記第２配管の接続端の軸心は前記リアパネルのパネル面に平行に設置されればよく、前記第１配管の接続端および前記第２配管の接続端は前記熱交換器から遠ざかる方向に向けられればよい。
【００１０】
前述のように、第１配管の接続端および第２配管の接続端には室内機の配管が結合される。室内機の配管の位置は第１配管の接続端および第２配管の接続端の向きに拘束されることから、室内機の配管は相互に近接して熱交換器から遠ざかるように延びる。したがって、熱交換器には室内機の配管に邪魔されずに周囲の空気が取り込まれることができる。
【００１１】
空気調和機は、前記リアパネルに取り付けられて、前記第１配管の接続端、前記第１操作弁、前記第２配管の接続端および前記第２操作弁を覆う配管カバーを備えてもよい。配管カバーは前記第一配管あるいは前記第二配管の接続端に付着する凝縮水を回収することができる。回収された凝縮水は、室外機の底面に設けられている排水孔から排水される。こうして室外機の排水孔以外から水滴が落下することを防止できる。
【００１２】
空気調和機は、前記配管カバーの外表面に接し前記リアパネルのパネル面に平行な仮想平面よりも外側に広がる固定脚を備えてもよい。固定脚は、壁面などの鉛直面と室外機の背面との距離の確保に役立つ。固定脚が鉛直面に接触すれば、配管カバーの外表面は壁面などに接触することはない。こうして室外機の設置時に確実に配管カバーの配置スペースは確保されることができる。
【００１３】
空気調和機は、前記第１操作弁の上方に配置される端子台と、前記リアパネルに取り付けられて前記端子台を覆う遮水カバーとを備えてもよい。室外機には室内機から電力や制御信号が供給される。電力等の供給にあたって室内機から室外機に電源線が接続される。電源線は端子台に結合される。端子台は室外機の背面に配置されるので、遮水カバーの室外機の側方への突き出しは回避される。室外機の横幅は抑制される。側方への突き出しが室外機の正面側から見えなくなることから、室外機の見栄えは向上する。しかも、端子台は第１配管および第２配管の上方に配置されることから、室外機の背面が小さい間隔で背後の壁面などに向き合わせられても、室外機の側方から作業者は直線的なアクセス経路に沿って最短距離で端子台にアクセスすることができる。良好な作業性は確保される。
【発明の効果】
【００１４】
以上のように本発明によれば、配管の接続にあたって良好な作業性を確保することができる空気調和機を提供することができる。
【図面の簡単な説明】
【００１５】
【図１】本発明の一実施形態に係る空気調和機の構成を概略的に示す概念図である。
【図２】室外機の背面を概略的に示す斜視図である。
【図３】室外機の背面を下方から概略的に示す斜視図である。
【図４】補助カバーの全体斜視図である。
【図５】室外機の部分拡大側面図である。
【発明を実施するための形態】
【００１６】
以下、添付図面を参照しつつ本発明の一実施形態を説明する。
【００１７】
（１）空気調和機の構成
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１８】
冷凍回路１９は第１循環経路２１を備える。第１循環経路２１は四方弁１８の第１口１８ａおよび第２口１８ｂを相互に結ぶ。第１循環経路２１には圧縮機１５が組み入れられる。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。冷媒配管は例えば銅管であればよい。
【００１９】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱エネルギーの交換を実現する。室内熱交換器１４は、通過する冷媒と周囲の空気との間で熱エネルギーの交換を実現する。第２循環経路２２は、前述した冷媒配管で形成される。
【００２０】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜け、冷媒と熱交換する。通り抜ける気流の流量は羽根車の回転数に応じて調整される。
【００２１】
室内機１２には送風ファン２４が組み込まれる。送風ファン２４は室内熱交換器１４に通風する。送風ファン２４は羽根車の回転に応じて気流を生成する。送風ファン２４の働きで室内機１２には室内空気が吸い込まれる。室内空気は室内熱交換器１４を通り抜け冷媒と熱交換する。熱交換された冷気または暖気の気流は室内機１２から吹き出される。通り抜ける気流の流量は羽根車の回転数に応じて調整される。
【００２２】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２４の働きで室内空間に吹き出される。
【００２３】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２４の働きで室内空間に吹き出される。膨張弁１７で冷媒は低圧まで減圧される。減圧された冷媒は室外熱交換器１６で周囲の空気から吸熱する。その後、冷媒は圧縮機１５に戻る。
【００２４】
第２循環経路２２は、室内熱交換器１４を通過する室内機配管２６と、室外機１３に組み込まれるガス配管２７および液配管２８とを含む。ガス配管２７は、四方弁１８の第４口１８ｄに繋がって、第１接続端３１で室内機配管２６のガス側接続端２６ａに接続される。ガス配管２７の第１接続端３１は室内機配管２６のガス側接続端２６ａに取り外し可能に結合される。液配管２８は、膨張弁１７に繋がって、第２接続端３２で室内機配管２６の液側接続端２６ｂに接続される。液配管２８の第２接続端３２は室内機配管２６の液側接続端２６ｂに取り外し可能に結合される。
【００２５】
ガス配管２７には第１操作弁３３が組み入れられる。第１操作弁３３は所定の動作に応じてガス配管２７の流路を開閉する。ねじ溝で案内される弁体の進退動作に基づき第１操作弁３３の開閉動作は達成される。
【００２６】
同様に、液配管２８には第２操作弁３４が組み入れられる。第２操作弁３４は所定の動作に応じて液配管２８の流路を開閉する。ねじ溝で案内される弁体の進退動作に基づき第２操作弁３４の開閉動作は達成される。
【００２７】
（２）室外機の構成
図２に示されるように、室外機１３の外装  を構成する外装パネル３５は底板３６を含む。底板３６は、室外機１３の最下部に設けられる。底板３６上に室外熱交換器１６、送風ファン２３、圧縮機１５、膨張弁１７、四方弁１８、その他のユニットおよび部品は設置される。底板３６上に送風ファン２３の収容空間は区画される。室外機１３の後方となる収容空間の背面は、室外熱交換器１６で塞がれる。
【００２８】
外装パネル３５は２つのサイドパネル３７ａ、３７ｂおよびリアパネル３８を含む。底板３６にサイドパネル３７ａ、３７ｂおよびリアパネル３８は固定される。一方のサイドパネル３７ａは機械室側に設けられる。サイドパネル３７ａに連続するリアパネル３８は機械室の後方に設けられる。機械室には圧縮機１５や膨張弁１７、四方弁１８、電装品箱などが収容される。機械室と送風ファン２３の収容空間の間には隔壁が設けられる。
【００２９】
他方のサイドパネル３７ｂは、送風機室側に設けられる。送風機室には、送風ファン２３や室外熱交換器１６が収容される。リアパネル３８のパネル面３８ａを含む仮想平面に沿って室外熱交換器１６は広がる。室外熱交換器１６はリアパネル３８よりも送風機室側に設けられる。
【００３０】
外装パネル３５は天板３９を含む。天板３９は上方から機械室および送風ファン２３の収容空間を仕切る。天板３９はサイドパネル３７ａ、３７ｂおよびリアパネル３８の上端に結合される。
【００３１】
リアパネル３８には補助カバー４１が取り付けられる。補助カバー４１は配管カバー４２および遮水カバー４３で形成される。遮水カバー４３は重力方向に配管カバー４２の上方に配置される。配管カバー４２の側面には切り欠き４４が形成される。切り欠き４４から室内機配管２６や電源線および信号線は引き込まれる。電源線は室内機１２から室外機１３に電力を供給する。信号線は室内機１２から室外機に制御信号を供給する。電力および制御信号は圧縮機１５や膨張弁１７、四方弁１８、電装品箱その他に分配される。切り欠き４４は、サイドパネル３７ａおよびリアパネル３８の継ぎ目にもっとも近い縁に沿って配置される。
【００３２】
図３に示されるように、補助カバー４１が取り外された状態のリアパネル３８には、第１開口４６および第２開口４７が形成される。第２開口４７は重力方向に第１開口４６の上方に配置される。配管カバー４２は第１開口４６を閉鎖する。遮水カバー４３は第２開口４７を閉鎖する。
【００３３】
第１開口４６内にはガス配管２７の第１接続端３１、第１操作弁３３、液配管２８の第２接続端３２および第２操作弁３４が配置される。ガス配管２７の第１接続端３１はリアパネル３８のパネル面３８ａから後方に突き出る。ガス配管２７は、リアパネル３８のパネル面３８ａに垂直にパネル面３８ａから突き出て、パネル面３８ａから所定の距離でパネル面３８ａに平行に屈曲する。こうしてガス配管２７の第１接続端３１の軸心はリアパネル３８のパネル面３８ａに平行に設置される。第１操作弁３３はパネル面３８ａの垂直方向にガス配管２７の延長線上に同軸に配置される。ガス配管２７の第１接続端３１は室外熱交換器１６から遠ざかる方向に向けられる。すなわち、第１接続端３１の軸心は、サイドパネル３７ａおよびリアパネル３８の間に形成される稜線に向けられる。
【００３４】
液配管２８の第２接続端３２はリアパネル３８のパネル面３８ａから後方に突き出る。液配管２８はガス配管２７の下方（重力方向下方）に配置される。液配管２８は、リアパネル３８のパネル面３９ａに垂直にパネル面３８ａから突き出て、パネル面３８ａから所定の距離でパネル面３８ａに平行に屈曲する。こうして液配管２８の第２接続端３２の軸心はガス配管２７の第１接続端３１の軸心に並列にリアパネル３８のパネル面３８ａに平行に設置される。第２操作弁３４はパネル面３８ａの垂直方向に液配管２８の延長線上に同軸に配置される。液配管２８の第２接続端３２は室外熱交換器１６から遠ざかる方向に向けられる。すなわち、第２接続端３２の軸心は、サイドパネル３７ａおよびリアパネル３８の間に形成される稜線に向けられる。第１接続端３１の軸心と第２接続端３２の軸心とは相互に平行に配置されればよい。
【００３５】
第１開口４６内で液配管２８には補助接続端４８がさらに形成される。補助接続端４８は、パネル面３８ａから所定の距離で第２接続端３２に反対向きに第２接続端３２に同軸に延びる。補助接続端４８には真空ポンプが接続されることができる。
【００３６】
第２開口４７内には端子台４９が配置される。すなわち、端子台４９は重力方向に第１操作弁３３の上方に配置される。端子台４９には室内機１２から延びる電源線および信号線が結合される。
【００３７】
底板３６には４つの固定脚５１ａ、５１ｂが固定される。前側の２つの固定脚５１ａは底板３６の前側縁から前方に突き出る。後側の２つの固定脚５１ｂは底板３６の後側縁から後方に突き出る。固定脚５１ａ、５１ｂは地面や土台その他の設置面に固定されて設置面上に室外機１３を支持する。
【００３８】
底板３６にはドレン口５２が形成される。底板３６は、室外熱交換器１６の下方でドレン口５２に向かって下るように傾斜する。ドレン口５２には、室外熱交換器１６から滴る凝縮水が集められる。集められた凝縮水はドレン口５２から外部に排出されることができる。
【００３９】
図４に示されるように、配管カバー４２は、第１開口４６から後方に突き出る第１接続端３１、第２接続端３２、第１操作弁３３および第２操作弁３４を収容する空間５３を区画する。空間５３の下端で配管カバー４２の縁４２ａは第１開口４６の輪郭に沿ってリアパネル３８のパネル面３８ａに密着する。第１接続端３１や第２接続端３２、第１操作弁３３、第２操作弁３４から滴る凝縮水は配管カバー４２で受け止められる。配管カバー４２は、受け止めた凝縮水を第１開口４６から底板３６に向かって誘導する。こうして第１接続端３１や第２接続端３２、第１操作弁３３、第２操作弁３４から滴る凝縮水はドレン口５２に向かって集められる。
【００４０】
遮水カバー４３には第２開口４７の周囲でリアパネル３８に密着する縁４３ａが形成される。縁４３ａは重力方向下方位置で途切れる。遮水カバー４３は、縁４３ａを含む仮想平面から後方に膨らむ。したがって、縁４３ａを含む仮想平面と遮水カバー４３との間には空間５４が区画される。空間５４は下端で配管カバー４２内側の空間５３に連続する。端子台４９から延びる電源線および信号線は２つの空間５４、５３を通過して切り欠き４４から引き出される。
【００４１】
（３）室外機の接続作業
次に室外機１３の設置作業を簡単に説明する。据え付け位置に室外機１３を据え付ける。据え付け位置の設置面に固定脚５１ａ、５１ｂを固定する。このとき、第１操作弁３３および第２操作弁３４は閉弁状態に維持される。室外機１３内の冷凍回路１９には冷媒が封じ込められる。リアパネル３８から補助カバー４１を取り外す。
【００４２】
室内機配管２６は室内機１２から室外に引き出される。ガス配管２７の第１接続端３１に室内機配管２６のガス側接続端２６ａを結合する。同様に、液配管２８の第２接続端３２に室内機配管２６の液側接続端２６ｂを結合する。こうして室外機１３および室内機１２の間で冷凍回路１９は閉回路となる。
【００４３】
液配管２８の補助接続端４８には真空ポンプが接続される。真空ポンプを動作させ、室内機配管２６内で真空を確保する。真空が確保されたら、第１操作弁３３および第２操作弁３４を開放して室内機配管２６内に冷媒を流通させる。こうして冷凍回路１９内は冷媒で充填される。
【００４４】
室外機１３では、ガス配管２７の第１接続端３１、第１操作弁３３、液配管２８の第２接続端３２および第２操作弁３４は室外機１３の背面に配置されるので、室外機１３の側方への突き出しは回避される。室外機１３の横幅は抑制される。側方への突き出しが室外機の正面側から見えなくなることから、室外機１３の見栄えは向上する。しかも、第１操作弁３３および第２操作弁３４は重力方向に上下に配置されることから、室外機１３の背面が小さい間隔で背後の壁面などに向き合わせられても、室外機１３の側方から作業者は直線的なアクセス経路に沿って最短距離で第１操作弁３３および第２操作弁３４にアクセスすることができる。良好な作業性は確保される。仮に第１操作弁３３および第２操作弁３４が水平方向に配列されると、側面に近い操作弁および配管は側面から遠い操作弁へのアクセスを妨げ、操作弁の開閉作業に支障をきたす。
【００４５】
ガス配管２７の第１接続端３１および液配管２８の第２接続端３２には室内機配管２６が結合される。室内機配管２６の位置はガス配管２７の第１接続端３１および液配管２８の第２接続端３２の向きに拘束されることから、室内機配管２６は相互に近接して室外熱交換器１６から遠ざかるように延びる。室内機配管２６は室外機１３の側方から直線的な経路に沿って引き出される。したがって、室外熱交換器１６には室内機配管２６に邪魔されずに周囲の空気が取り込まれることができる。
【００４６】
配管カバー４２はリアパネル３８から出っ張って背後の壁面といった物体との距離を保つことができる。こうして室外熱交換器１６は壁面といった物体の輻射熱から遠ざけられることができる。加えて、室外熱交換器１６には、壁面といった物体からの熱伝達の小さい空気が取り込まれる。こうして冷房運転時に室外熱交換器１６は効果的に冷却されることができる。効率的に冷媒の熱エネルギーは室外機１３から放出されることができる。
【００４７】
室外機１３には室内機１２から電力および制御信号が供給される。電力の供給にあたって室内機１２から室外機１３に電源線が接続される。電源線は端子台４９に結合される。端子台４９は室外機１３の背面に配置されるので、遮水カバー４３の室外機１３の側方への突き出しは回避される。室外機１３の横幅は抑制される。側方への突き出しが室外機の正面側から見えなくなることから、室外機１３の見栄えは向上する。しかも、端子台４９は重力方向にガス配管２７および液配管２８の上方に配置されることから、液配管に生じる凝縮水が付着するおそれがない。
【００４８】
図５に示されるように、固定脚５１ｂは、配管カバー４２の外表面に接する仮想鉛直面５５よりも外側に広がることができる。固定脚５１ｂは、壁面などの鉛直面と室外機１３の背面との距離の確保に役立つ。固定脚５１ｂが鉛直面に接触すれば、配管カバー４２の外表面は壁面などに接触することはない。こうして室外機１３の設置時に確実に配管カバー４２の配置スペースは確保されることができる。
【符号の説明】
【００４９】
１１  空気調和機、１５  圧縮機、１６  熱交換器（室外熱交換器）、２７  第１配管（ガス配管）、２８  第２配管（液配管）、３１  第１接続端、３２  第２接続端、３３  第１操作弁、３４  第２操作弁、３８  リアパネル、３８ａ  パネル面、４２  配管カバー、４３  遮水カバー、４９  端子台、５１ｂ  固定脚、５５  仮想鉛直面。
【図１】
2017083141.tif 000003
【図２】
2017083141.tif 000004
【図３】
2017083141.tif 000005
【図４】
2017083141.tif 000006
【図５】
2017083141.tif 000007